(57)【要約】【課題】暖房布団を対角線方向に４つに分離裁断した形状とし、この４辺を開閉具で着脱を自在とし、多目的の使用性と洗濯の容易性を高めたものを提供する。【解決手段】  四角形の布団１０の四方の隅角部１０Ａ，１０Ｂ，１０Ｃ，１０Ｄから対角線上Ｌ１，Ｌ２に切り込みａ，ｂ，ｃ，ｄを設けて四分割するとともに、その各切り込み両端に分離可能な一対の開閉具２０，３０を取り付け、上記一対の開閉具を切り込み中央側への閉口移動で任意の位置に脚挿入部Ｓ１，Ｓ２，Ｓ３，Ｓ４を形成し得るものである。【選択図】  図２
0003118147.tif 000002
【実用新案登録請求の範囲】
【請求項１】
四角形の布団の四方の隅角部から対角線上に切り込みを設けて四分割するとともに、その各切り込み両端に分離可能な一対の開閉具を取り付け、上記一対の開閉具を切り込み中央側への閉口移動で任意の位置に脚挿入部を形成し得ることを特徴とした暖房布団。
【請求項２】
上記開閉具は、ダブルスライドファスナーであることを特徴とする請求項１記載の暖房布団。
【請求項３】
上記開閉具は、面状ファスナーであることを特徴とする請求項１記載の暖房布団。
【考案の詳細な説明】
【技術分野】
【０００１】
本考案は、コタツ布団や電気カーペットの上に掛けて保温効果を醸し出す暖房布団に係り、特に、布団を対角線方向に４つに分離裁断した形状とし、この４辺を開閉具で着脱を自在とし、多目的の使用性と洗濯の容易性を高めたものに関する。
【背景技術】
【０００２】
従来から、コタツ布団や電気カーペットの上に掛けて保温効果を醸し出す暖房布団が提供されている。更には、電気カーペットの上に置かれた座卓用下掛け布団も提供されている。その代表的な実施例として、座卓用下掛け布団に、四方の隅角部からなる対角線上に適宜の長さにかけて切り込みを設け、これらの切込みに開閉具（ダブルスライドファスナー・面状ファスナー・フック等）を取り付けて切込みを開閉自在に形成し、更に布団の裏面の中央部に、該中央部を座卓の天板の裏面若しくは脚部の上部に連繋させる複数の連結具（フック付き帯状ゴム）を設けたものが提供されている（例えば、特許文献１参照。）。
【０００３】
【特許文献１】実開昭６２−１５２１０７号公報
【考案の開示】
【考案が解決しようとする課題】
【０００４】
上記座卓用下掛け布団によれば、ヒーターカーペットの上に座卓を載せて使用する際に、座卓の下側に布団を介装して併用すればコタツと同様に利用でき、しかも切込みはダブルスライドファスナー或いは面状ファスナーの開閉具によって脚部の挿入部分を除いて閉じられており、座卓の脚部になじむと同時に熱の放散を防ぎヒーターカーペットの発熱量の拡散を阻止して保温効果が確保できるというメリットを有する。これにより、ヒーターカーペットの熱効率を高め、省電力のエネルギー効率が高められる。
【０００５】
しかし、布団の中央部にはダブルスライドファスナーが無く、布団は一体物となっているために、布団の洗濯時や乾燥時には、大物洗いとなり各家庭内で洗濯に不向きな物となっていた。更に、その用途も、冬場の保温用具としての座卓用下掛け布団だけに限定された物となっていたという問題がある。
【０００６】
本考案は、上記座卓用下掛け布団おける問題点に鑑みてなされたもので、その目的とするところは、暖房布団を対角線方向に４つに分離裁断した形状とし、この４辺を開閉具で着脱を自在とし、多目的の使用性と洗濯の容易性を高めたものである。
【課題を解決するための手段】
【０００７】
上記目的を達成するべく本考案の請求項１による暖房布団は、四角形の布団の四方の隅角部から対角線上に切り込みを設けて四分割するとともに、その各切り込み両端に分離可能な一対の開閉具を取り付け、上記一対の開閉具を切り込み中央側への閉口移動で任意の位置に脚挿入部を形成し得ることを特徴としたものである。
【０００８】
また、請求項２による暖房布団は、請求項１記載において、開閉具は、ダブルスライドファスナーであることを特徴とするものである。
【０００９】
また、請求項３による暖房布団は、請求項１記載において、開閉具は、面状ファスナーであることを特徴とするものである。
【００１０】
すなわち、本考案の暖房布団によれば、座卓の４本の脚間距離が異なっていても、座卓の下面に敷いてヒーターカーペットと併用できるものである。そして、布団に四方の隅角部から対角線上に切り込みを入れて４つに分離し、その切り込み両端に開閉具をダブルに着脱自在に取付け、両開閉具の対面し合う位置を座卓の脚部に両側から任意位置として突き合わせられる。これにより、ヒーターカーペットの上に座卓を載せて使用すれば、コタツと同様に使用でき、しかも切り込みは両側から開閉される一対の開閉具により脚部のみを開口させられるから、布団が座卓の４本の脚部に馴染むとともに、人の脚を入れてもヒーターカーペットとの無駄な空間が無く熱放散を防ぎ、保温効果が確保できるというメリットを有する。この結果、ヒーターカーペットの熱効率を高め、省電力のエネルギー効率が高められる。
【００１１】
更に、上記開閉具にダブルスライドファスナーを使用すれば、開閉操作性の良さとその耐久性の維持が得られる。また、開閉具に面状ファスナーを使用すれば、布団の切り込み同士の接合操作が手軽にスピーディーに行える。
【考案の効果】
【００１２】
本考案の暖房布団によると、ヒーターカーペットの熱量、人肌の温かさ、布団の保温性により、充分な保温効果が得られて節電効率が高められるのは勿論のこと、通常のコタツ布団としても使用できる。そして、布団は対角線上に４分割形状（三角形）に分離されるから、その一辺をソファ掛けとして使用でき。更に、汚れた時には、４分割（三角形）にした小物として洗濯と乾燥が手軽且つ容易にできる。
【考案を実施するための最良の形態】
【００１３】
以下、図１乃至図６を参照して本考案の第１の実施の形態を説明する。図１は暖房布団に座卓を載せた外観斜視図であり、図２は暖房布団の外観平面図、図３は暖房布団を分割した平面図、図４は暖房布団の要部拡大平面図、図５はコタツに適用した斜視図、図6はソファに適用した斜視図である。
【００１４】
本考案の暖房布団を図１〜図４により説明する。暖房布団１００は、内部に綿や羽毛・断熱性素材等の適宜柔軟性保温材を入れ込み表皮布１により布団１０として縫製されたものである。この暖房布団１００は、正四角形の布団１０の四方の隅角部１０Ａ，１０Ｂ，１０Ｃ，１０Ｄから対角線Ｌ１，Ｌ２上に切り込みａ，ｂ，ｃ，ｄを設けて四分割（三角形）されている。上記切り込みａ，ｂ，ｃ，ｄにおける内端と外端には、分離可能な開閉具２０，３０となるダブルスライドファスナーＦ１，Ｆ２が取り付けられており、手操作で各々独立して端部から中心側へ切り込みａ，ｂ，ｃ，ｄを閉口させながら移動される。これにより、両側から閉口して接近するダブルスライドファスナーＦ１，Ｆ２は、任意の位置に座卓４０の四本の脚４０Ａ，４０Ｂ，４０Ｃ，４０Ｄを包み込む脚挿入部Ｓ１，Ｓ２，Ｓ３，Ｓ４が形成される。
【００１５】
上記ダブルスライドファスナーＦ１，Ｆ２と切り込みａ，ｂ，ｃ，ｄとの係合構成を、図４により説明する。即ち、掛合し合う両切り込みａ，ｂ，ｃ，ｄには、係合辺Ｇ１，Ｇ２が付設されている。上記隅角部１０Ａ，１０Ｂ，１０Ｃ，１０Ｄにおける片側には、操作部２０Ａ，３０Ａが係合されていて、隅角部１０Ａ，１０Ｂ，１０Ｃ，１０Ｄの位置で分離される。そして、接合させるには、操作部２０Ａ，３０Ａを相手側の係合端に掛けてから係合辺Ｇ１，Ｇ２に沿って端部から中心側へ移動させると、切り込みａ，ｂ，ｃ，ｄを閉口操作することができる。
【００１６】
本考案の暖房布団１００は、上記のように構成されており、以下のように作用・使用される。まず、ヒーターカーペット５０上への座卓４０及び布団１０のセットアップから説明する。暖房布団１００は、座卓４０の４本の脚４０Ａ，４０Ｂ，４０Ｃ，４０Ｄの間隔距離が異なっていても、座卓の下面に敷いてヒーターカーペットと併用される。４つに分離した布団１０は、四方の隅角部１０Ａ，１０Ｂ，１０Ｃ，１０Ｄから対角線上Ｌ１，Ｌ２に切り込みａ，ｂ，ｃ，ｄがある。これに付設する係合辺Ｇ１，Ｇ２の隅角部１０Ａ，１０Ｂ，１０Ｃ，１０Ｄにおける片側には、操作部２０Ａ，３０Ａが係合されており、接合させるには、操作部２０Ａ，３０Ａを相手側の係合端に掛けてから係合辺Ｇ１，Ｇ２に沿って端部から中心側へ移動させると、切り込みａ，ｂ，ｃ，ｄを閉口操作することができる。ここで、座卓４０の四本の脚４０Ａ，４０Ｂ，４０Ｃ，４０Ｄを包み込む脚挿入部Ｓ１，Ｓ２，Ｓ３，Ｓ４が座卓の脚４０Ａ，４０Ｂ，４０Ｃ，４０Ｄの間隔に合わせて形成される。この布団１０の脚挿入部Ｓ１，Ｓ２，Ｓ３，Ｓ４に座卓の脚４０Ａ，４０Ｂ，４０Ｃ，４０Ｄを合わせてヒーターカーペット上に載せる。最後に、両開閉具となる操作部２０Ａ，３０Ａの対面し合う位置を座卓の脚部に両側から任意位置として突き合わせられてセットアップが行える。上記開閉具２０，３０は、ダブルスライドファスナーＦ１，Ｆ２を使用しているから、開閉操作性の良さとその耐久性の維持が得られる。
【００１７】
しかして、ヒーターカーペット５０の上に座卓４０を載せて使用すれば、コタツと同様に使用でき、しかも切り込みは両側から開閉される開閉具２０，３０により脚部４０Ａ，４０Ｂ，４０Ｃ，４０Ｄのみを開口させられるから、布団１０が座卓４０の４本の脚部に馴染むとともに、使用時にもヒーターカーペットの熱放散を防ぎ、保温効果が確保できるというメリットが発揮される。この結果、ヒーターカーペットの熱効率を高め、省電力のエネルギー効率が高められる。更に、洗濯時には、布団１０を四つに分割して洗濯し、干して乾燥すると、その作業性が容易に行える。
【００１８】
尚、本考案の暖房布団１００は、座卓の下面に敷いてヒーターカーペットと併用される使用例に限らない。図５に示すように、両開閉具２０，３０となる操作部２０Ａ，３０Ａの対面し合う位置を完全に突き合わせて閉塞された布団１０とし、これをやぐらコタツ６０に掛け、この布団１０の上に座板７０を載せたものとしても良い。更に、図６に示すように、布団１０の一辺のみを使用してソファ８０のソファ掛けとしても使用される。
【００１９】
本考案の暖房布団１００における第１の実施の形態によると、下記の効果が奏される。まず、ヒーターカーペットの熱量、人肌の温かさ、布団の保温性により、充分な保温効果が得られて節電効率が高められる。また、通常のコタツ布団として使用できる。そして、布団が対角線上に分離した４分割形状（三角形）になるから、ソファ掛けとして使用でき。更に、汚れた時には、４分割（三角形）にした小物として洗濯と乾燥が手軽且つ容易にできる。
【００２０】
上記開閉具２０，３０にダブルスライドファスナーＦ１，Ｆ２を使用すれば、開閉操作性の良さとその耐久性の維持が得られる。
【００２１】
本考案の暖房布団１００は、上記第１の実施の形態に限定されない。図７に示す第２の実施の形態の暖房布団１００´のように、長方形の布団１１としても良い。また、開閉具２０，３０を図８に示す第３の実施の形態の面状ファスナーＦ３を使用しても良い。この面状ファスナーＦ３は、一方側が突起群ｔからなる接合シートｆ４と、他方側がループ群ｒからなる接合シートｆ５との一対構成である。上記接合シートｆ４と接合シートｆ５とを等間隔に、各切り込みａ，ｂ，ｃ，ｄに縫着乃至は接着させている。しかして、上記面状ファスナーＦ３によると、お互いに対をなす接合シートｆ４と接合シートｆ５とを押し付け合えば簡単に接合され、強く引き離せば簡単に分離させられる。上記各実施の形態において、その他の構成は上記第１の実施の暖房布団１００と同一構成につき、同一符号を附して説明を省略する。
【００２２】
上記第２の実施の形態の暖房布団１００´においても、上記第１の実施の形態の暖房布団１００と同様な作用・効果が得られる。この長方形の布団１１においては、正方形の布団１０よりも容積が倍増するから、４分割することの意味合いが一層増加する。更に、面状ファスナーＦ３によれば、布団１１の切り込み同士の接合操作が手軽にスピーディーに行えるメリットがある。
【産業上の利用可能性】
【００２３】
本考案は、その対象物をヒーターカーペット上の座卓の下に敷く暖房布団ややぐらコタツの掛け布団やソファ掛けとしての使用例を主に説明したが、これ以外の様々な用途への適用が可能である。例えば、各種掛物の布団としても適用できる。
【図面の簡単な説明】
【００２４】
【図１】本考案の第１の実施の形態を示す図で暖房布団に座卓を載せた外観斜視図である。
【図２】本考案の第１の実施の形態を示す図で暖房布団の外観平面図である。
【図３】本考案の第１の実施の形態を示す図で暖房布団を分割した平面図である。
【図４】本考案の第１の実施の形態を示す図で要部の拡大平面図である。
【図５】本考案の第１の実施の形態を示す図でやぐらコタツに掛けた暖房布団の斜視図である。
【図６】本考案の第１の実施の形態を示す図でソファ掛けとした暖房布団の斜視図である。
【図７】本考案の第２の実施の形態を示す図で暖房布団の平面図である。
【図８】本考案の第３の実施の形態を示す図で要部の拡大平面図である。
【符号の説明】
【００２５】
１０，１１                      布団
１０Ａ，１０Ｂ，１０Ｃ，１０Ｄ  隅角部
２０，３０                      開閉具
２０Ａ，３０Ａ                  操作部
４０                            座卓
４０Ａ，４０Ｂ，４０Ｃ，４０Ｄ  脚
５０                            ヒーターカーペット
６０                            やぐらコタツ
７０                            座板
８０                            ソファ
１００                          暖房布団
１００´                        暖房布団
ａ，ｂ，ｃ，ｄ                  切り込み
Ｆ１，Ｆ２                      ダブルスライドファスナー
Ｆ３                            面状ファスナー
ｆ４，ｆ５                      接合シート
ｒ                              ループ群
ｔ                              突起群
Ｇ１，Ｇ２                      係合辺
Ｌ１，Ｌ２                      対角線
Ｓ１，Ｓ２，Ｓ３，Ｓ４          脚挿入部
【図１】
0003118147.tif 000003
【図２】
0003118147.tif 000004
【図３】
0003118147.tif 000005
【図４】
0003118147.tif 000006
【図５】
0003118147.tif 000007
【図６】
0003118147.tif 000008
【図７】
0003118147.tif 000009
【図８】
0003118147.tif 000010